(57)【特許請求の範囲】
【請求項１】
絶縁基板上に、縦横方向に沿い、且つそれぞれ互いに対向する基板縁同士に亘って、それぞれ複数の縦電線と横電線とがマトリクス状に配索されると共に、少なくとも前記絶縁基板の互いに隣接する２つの前記基板縁に沿って、前記縦電線の端部に接続された縦電線用端子と、前記横電線の端部に接続された横電線用端子とが立設されてなる配線板と、
前記配線板を収容すると共に、前記縦電線用端子が挿入される縦電線用コネクタ装着部と、前記横電線用端子が挿入される横電線用コネクタ装着部とが形成されたケースと、を備えてなる電気接続箱であって、
前記縦電線用コネクタ装着部及び横電線用コネクタ装着部のうち一方のコネクタ装着部の長手方向の端面が、他方のコネクタ装着部の長手方向の端部側面に対向すると共に、
前記縦電線用端子及び前記横電線用端子のうち一方の端子が、他方の端子に接続された前記縦電線又は前記横電線の上に載置されていることを特徴とする電気接続箱。
【請求項２】
請求項１記載の電気接続箱であって、
前記一方の端子に接続された前記縦電線又は前記横電線が、前記一方の端子の近傍で折り曲げられていることを特徴とする電気接続箱。
【請求項３】
請求項２記載の電気接続箱であって、
前記一方の端子に接続された前記縦電線又は前記横電線は、前記一方の端子の近傍で複数回折り曲げられていることを特徴とする電気接続箱。
【請求項４】
請求項１乃至請求項３のいずれかに記載された電気接続箱であって、
前記一方の端子の群が互いに絶縁状態を維持して端子ユニットに一体的に組み込まれて前記絶縁基板に保持されていることを特徴とする電気接続箱。
【請求項５】
請求項４記載の電気接続箱であって、
前記端子ユニットは、前記絶縁基板に設けられた固定部に固定されていることを特徴とする電気接続箱。
【請求項６】
絶縁基板上に、縦横方向に沿ってそれぞれ互いに対向する基板縁同士に亘って、それぞれ複数の縦電線と横電線とがマトリクス状に配索されると共に、少なくとも前記絶縁基板の互いに隣接する２つの前記基板縁に沿って、前記縦電線の端部に接続された縦電線用端子と、前記横電線の端部に接続された横電線用端子とが前記基板縁に沿って立設されてなる配線板と、
前記配線板を収容すると共に、前記縦電線用端子が挿入された縦電線用コネクタ装着部と、前記横電線用端子が挿入された横電線用コネクタ装着部とが形成されたケースとを備え、
前記縦・横電線用コネクタ装着部のうち一方のコネクタ装着部の長手方向の端面が、他方のコネクタ装着部の長手方向の端部側面に対向する電気接続箱の電線配索方法であって、
前記他方のコネクタ装着部に挿入される、前記縦電線用端子及び前記横電線用端子うち一方の端子を、前記絶縁基板上に起立した状態で取り付ける工程と、
前記一方の端子に、前記縦電線又は前記横電線の端末を接続する工程と、
前記他方の端子に前記横電線又は前記縦電線の端末を接続する工程と、
前記他方の端子を前記一方の端子に接続される前記縦電線又は前記横電線の上に載置する工程と、
を備えることを特徴とする電気接続箱の電線配索方法。
【請求項７】
請求項６記載の電気接続箱の電線配索方法であって、
前記他方の端子に接続される前記横電線又は前記縦電線の端末が前記絶縁基板の外側に位置するように配索すると共に、前記端末に接続される前記他方の端子を下方側を向いた状態とした後、
前記他方の端子を下方側から上方側に向くように起こし、該他方の端子近傍の電線を曲げると共に、前記他方の端子を前記絶縁基板の上に起立状態で保持することを特徴とする電気接続箱の電線配索方法。
【請求項８】
請求項６記載の電気接続箱の電線配索方法であって、
前記他方の端子近傍の電線を複数回折り曲げることを特徴とする電気接続箱の電線配索方法。
【請求項９】
請求項６乃至請求項８のいずれかに記載された電気接続箱の電線配索方法であって、
前記他方の端子を、互いに絶縁状態を維持するように端子ユニットに組み込み、該端子ユニットを前記絶縁基板上に保持させることを特徴とする電気接続箱の電線配索方法。
【発明の詳細な説明】
【０００１】
【発明の属する技術分野】
この発明は電気接続箱及びその電線配索方法に関し、さらに詳しくは、直線配索される電線を有する電気接続箱及びその電線配索方法に関する。
【０００２】
【従来の技術】
従来の電気接続箱としては、図１０に示すようなケース３０に、図１１に示すような配線板４０を収容したものがある。ケース３０は、箱体状のケース本体３１の上面に一体的に形成されたフード状のコネクタ装着部が形成されてなる。コネクタ装着部としては、ケース本体３１の左右縁に配設される左コネクタ装着部３２と右コネクタ装着部３３と、ケース本体３１の前縁に配設される前コネクタ装着部３４とからなる。
【０００３】
一方、配線板４０は、図１１に示すように、絶縁基板４１と、この上面に前後左右方向に直線的に配索される電線４２と、これらの電線４２の端部に接続される端子４３とからなる。なお、図１３は、配線板４０における電線４２の配索例を示す。
【０００４】
電線４２は、図１１に示すように、前後方向に配索された複数の電線４２Ａと、これら電線４２Ａに交差するように左右方向に配索された複数の電線４２Ｂとがある。電線４２Ａの一方（前側）の端部には、それぞれ前端子４３Ａが接続されている。また、電線４２Ｂの両端には、左端子４３Ｂと、右端子４３Ｃとが接続されている。電線４２Ｂの両端は、図１２に示すように電線４２Ａの群のうち最も外側に位置する電線４２Ａ、４２Ａよりも、外側にさらに寸法ａだけ外側に位置するように設定、配索されている。なお、これら左端子４３Ｂ、右４３Ｃは、絶縁基板４１の基板縁に立設されている。
【０００５】
そして、ケース３０に配線板４０を収容した状態では、前コネクタ装着部３４に前端子４３Ａが挿入され、左コネクタ装着部３２に左端子４３Ｂが挿入され、右コネクタ装着部３３に右端子４３Ｃが挿入されている。
【０００６】
このような電気接続箱では、配線板４０において電線４２Ａと電線４２Ｂとが略マトリクス状に配索されている。それぞれの端子４３Ａ、４３Ｂ、４３Ｃが電線４２Ａ、４２Ｂとで形成される格子状の領域の外側に配置されている。このため、上記した配線板４０では、端子４３Ａ、４３Ｂ、４３Ｃが電線４２Ａ、４２Ｂの配索において干渉しないようになっている。
【０００７】
【発明が解決しようとする課題】
しかしながら、上記した電気接続箱では、端子４３Ａ、４３Ｂ、４３Ｃが電線４２Ａ、４２Ｂで形成される格子の外側に配置される都合上、図１０に示すように、ケース３０の左、右コネクタ装着部３２、３３が前コネクタ装着部３４の両端から寸法Ａ（＞ａ）だけ外側に位置するように形成されている。このため、ケース３０は、寸法２Ａの分だけ前コネクタ装着部３４の全長寸法より長寸のものに形成される必要があり、その分だけケースが大型化される問題点がある。
【０００８】
そこで、本発明の目的は、省スペース化を図ることができる電気接続箱及びその電線配索方法の提供することにある。
【０００９】
【課題を解決するための手段】
請求項１記載の発明は、絶縁基板上に、縦横方向に沿い、且つそれぞれ互いに対向する基板縁同士に亘ってそれぞれ複数の縦電線と横電線とがマトリクス状に配索されると共に、少なくとも絶縁基板の互いに隣接する２つの基板縁に沿って、縦電線の端部に接続された縦電線用端子と、横電線の端部に接続された横電線用端子とが立設されてなる配線板と、配線板を収容すると共に、前記縦電線用端子が挿入される縦電線用コネクタ装着部と、前記横電線用端子が挿入される横電線用コネクタ装着部とが形成されたケースと、を備えてなる電気接続箱であって、前記縦電線用コネクタ装着部及び横電線用コネクタ装着部のうち一方のコネクタ装着部の長手方向の端面が、他方のコネクタ装着部の長手方向の端部側面に対向すると共に、縦電線用端子及び横電線用端子のうち一方の端子が、他方の端子に接続された縦電線又は横電線の上に載置されていることを特徴とする。
【００１０】
このような構成の請求項１記載の発明では、縦電線用端子及び横電線用端子のうち一方の端子が、他方の端子に接続された電線の上に載置されているため、配線板に一方の端子のみを載置するための領域を形成する必要がなくなり、配線板を小型化することができる。これに伴って、配線板を収容するケースも小型化することができる。このため、請求項１記載の発明では、電気接続箱の省スペース化を図ることができる。
【００１１】
また、請求項２記載の発明は、請求項１記載の電気接続箱であって、前記一方の端子に接続された縦電線又は横電線が、この一方の端子の近傍で折り曲げられていることを特徴とする。
【００１２】
したがって、請求項２記載の発明では、請求項１に記載された発明の作用に加えて、一方の端子に接続された電線がこの端子近傍で折り曲げられているため、組み付け過程において電線の端末を絶縁基板の外側に位置させた状態で端子を取り付けることができる。このため、端子の取付性を容易にすることができる。
【００１３】
さらに、請求項３記載の発明は、請求項２記載の電気接続箱であって、前記一方の端子に接続された縦電線又は横電線は、この一方の端子の近傍で複数回折り曲げられていることを特徴とする。
【００１４】
この発明では、請求項２に記載された発明の作用に加えて、例えばこの一方の端子が上側を向くようにして電線を一回折り曲げると、端子は下側を向いてしまうが、複数回、特に偶数回折り曲げを行えば端子は上向きになる。このため、電線に端子を接続（圧着）させるときに、作業性の良好な向きで端子を取り付けることができる。
【００１５】
また、請求項４記載の発明は、請求項１乃至請求項３のいずれかに記載された電気接続箱であって、前記一方の端子の群が互いに絶縁状態を維持して端子ユニットに一体的に組み込まれて前記絶縁基板に保持されていることを特徴とする。
【００１６】
したがって、請求項４記載の発明では、請求項１〜請求項３に記載された発明の作用に加えて、複数の端子をユニット化することにより、端子の取扱い性を容易にできる。
【００１７】
さらに、請求項５記載の発明は、請求項４記載の電気接続箱であって、端子ユニットが、絶縁基板に設けられた固定部に固定されていることを特徴とする。
【００１８】
したがって、請求項５記載の発明では、端子ユニットが絶縁基板に設けられた固定部に固定されるため、端子を絶縁基板上に簡単に保持させることができる。このため、組み付け作業性を向上することができる。
【００１９】
請求項６記載の発明は、絶縁基板上に、縦横方向に沿ってそれぞれ互いに対向する基板縁同士に亘って、それぞれ複数の縦電線と横電線とがマトリクス状に配索されると共に、少なくとも前記絶縁基板の互いに隣接する２つの前記基板縁に沿って、前記縦電線の端部に接続された縦電線用端子と、前記横電線の端部に接続された横電線用端子とが前記基板縁に沿って立設されてなる配線板と、前記配線板を収容すると共に、前記縦電線用端子が挿入された縦電線用コネクタ装着部と、前記横電線用端子が挿入された横電線用コネクタ装着部とが形成されたケースとを備え、縦・横電線用コネクタ装着部のうち一方のコネクタ装着部の長手方向の端面が、他方のコネクタ装着部の長手方向の端部側面に対向する電気接続箱の電線配索方法であって、前記他方のコネクタ装着部に挿入される、前記縦電線用端子及び前記横電線用端子うち一方の端子を、前記絶縁基板上に起立した状態で取り付ける工程と、前記一方の端子に、前記縦電線又は前記横電線の端末を接続する工程と、前記他方の端子に前記横電線又は前記縦電線の端末を接続する工程と、他方の端子を前記一方の端子に接続される前記縦電線又は前記横電線の上に載置する工程と、を備えることを特徴とする。
【００２０】
この発明では、他方の端子を一方の端子に接続される縦電線又は横電線の上に載置することで、縦電線用端子及び横電線用端子のうち一方の端子が、他方の端子に接続された電線の上に載置されるため、配線板に一方の端子のみを載置するための領域を形成する必要がなくなり、配線板を小型化することができる。これに伴って、配線板を収容するケースも小型化することができる。このため、請求項６記載の発明では、電気接続箱の省スペース化を図ることができる。また、縦電線と横電線との配索に縦電線用端子及び横電線用端子が干渉することがない。
【００２１】
また、請求項７記載の発明は、請求項６記載の電気接続箱の電線配索方法であって、他方の端子に接続される横電線又は縦電線の端末が前記絶縁基板の外側に位置するように配索すると共に、端末に接続される他方の端子を下方側を向いた状態とした後、他方の端子を下方側から上方側に向くように起こし、他方の端子近傍の電線を曲げると共に、他方の端子を絶縁基板の上に起立状態で保持することを特徴とする。
【００２２】
したがって、請求項７記載の発明では、請求項６に記載された発明の作用に加えて、一方の端子に接続される電線は、他方の端子の干渉を受けることなく配索することができる。また、他方の端子が接続される電線の端末を、絶縁基板の外側に位置するように配索したことにより、他方の端子と電線端末との接続作業性を向上することができる。
【００２３】
さらに、請求項８記載の発明は、請求項６記載の電気接続箱の電線配索方法であって、他方の端子近傍の電線を複数回折り曲げることを特徴とする。
【００２４】
したがって、請求項８記載の発明では、請求項６に記載された発明の作用に加えて、他方の端子を電線に接続する場合の向きを任意にすることができる。このため、端子の接続作業性を向上することができる。
【００２５】
また、請求項９記載の発明は、請求項６乃至請求項８のいずれかに記載された電気接続箱の電線配索方法であって、前記他方の端子を、互いに絶縁状態を維持するように端子ユニットに組み込み、該端子ユニットを前記絶縁基板上に保持させることを特徴とする。
【００２６】
したがって、請求項９記載の発明では、請求項６〜請求項８に記載された発明の作用に加えて、他方の端子を端子ユニットに組み込むことで、電線の折り曲げ作業や絶縁基板への取り付け作業並びに端子の取り扱い性を向上することができる。
【００２７】
【発明の実施の形態】
以下、本発明に係る電気接続箱及びその電線配索方法の詳細を図面に示す実施形態に基づいて説明する。
【００２８】
（実施形態１）
図１は本発明に係る電気接続箱２０の実施形態を示す斜視図、図２は電気接続箱に収容される配線板を示す斜視図、図３は本実施形態の電線配索例を示す図、図４は本実施形態の電線配索方法を示す斜視図、図５（ａ）、（ｂ）は本実施形態の電線配索方法を示す要部側面図である。
【００２９】
図１に示すように、本実施形態の電気接続箱２０は、ケース１と、このケース１内に収容された配線板２とから大略構成されている。
【００３０】
ケース１は、ケース本体３と、その上面に左右縁（縦縁）に形成された左コネクタ装着部（縦電線用コネクタ装着部）４、右コネクタ装着部（縦電線用コネクタ装着部）５と、前縁（横縁）に形成された前コネクタ装着部（横電線用コネクタ装着部）６とを備える。
【００３１】
本実施形態では、図１に示すように、前コネクタ装着部６は、その両端部の側面を左、右コネクタ装着部４、５の長手方向の一方の端面と相対向するように配置されている。すなわち、ケース本体３の横方向の長さは、図１に示すように、前コネクタ装着部６全体の長手方向の寸法とほぼ等しい寸法Ｌ１である。また、ケース本体３の縦方向の長さは、左、右コネクタ装着部４、５の長さ寸法に前コネクタ装着部６の幅寸法を加えた寸法とほぼ等しい寸法Ｌ２である。よって、ケース本体３の上面の面積はＬ１×Ｌ２の大きさとなる。このため、本実施形態のケース本体３は従来のケース本体と比較すると小型になり、その分だけケース１及び電気接続箱２０の大きさは小型になる。
【００３２】
このような構造のケース１に収容される配線板２は、図２に示すような構造である。この配線板２は、例えば図３に示すように配索されている。配線板２は、図２に示すように、絶縁基板７の上面に直線的に配置される被覆された電線８と、この端部に接続される端子９とからなる。電線８は、左右方向に配索される複数の横電線８ａと、これと直交して前後方向に配索される複数の縦電線８ｂとからなる。本実施形態では、横電線８ａの両端に、左コネクタ装着部４内に挿入される複数の左端子（横電線用端子）９ａと、右コネクタ装着部５に挿入される右端子（横電線用端子）９ｂとが接続されている。また、縦電線８ｂの一方の端末には、前コネクタ装着部６内に挿入される前端子（縦電線用端子）９ｃが接続されている。なお、左、右端子９ａ、９ｂのそれぞれの群は、図４に示すように、フレーム状の端子保持部材１１に保持されている。また、絶縁基板７の左右の縁部近傍には、端子保持部材１１を係止、固定するための固定部としてのロック部材１０が設けられている。
【００３３】
本実施形態１では、上記したケース１の左、右コネクタ装着部４、５及び前コネクタ装着部６にこれらの左、右端子９ａ、９ｂ及び前端子９ｃを挿入するため、左、右端子９ａ、９ｂは、縦電線８ｂの群のうち外側に位置する縦電線８ｂの上に重ね合わせて載置している。
【００３４】
また、横電線８ａに接続される左、右端子９ａ、９ｂを図２に示す位置に配設するには、図４に示すような電線配索方法を行う。まず、配線板２の組み立て初期状態において絶縁基板７上に縦方向（前後方向）に沿って直線的に複数の縦電線８ｂを配索し、その一方の端部をそれぞれ前端子９ｃに接続する。なお、この前端子９ｃは、絶縁基板７に上方に向いた状態で立設されている。
【００３５】
一方、前後方向の電線８ｂと直交して直線的に配索される左右方向（横方向）の複数の横電線８ａは、図４に示すように、絶縁基板７の端縁からさらに伸延した状態で配置される。この横電線８ａの左右端部には、左、右端子９ａ、９ｂを、下方に向けた状態で接続する。
【００３６】
なお、それぞれ左、右端子９ａ、９ｂの群は、これら左、右端子９ａ、９ｂをそれぞれ電気絶縁状態を保って一体に保持する端子保持部材１１で保持されており、複数の端子を有する端子ユニットを構成している。
【００３７】
次に、図５（ａ）に示す位置にあった左右の端子保持部材１１に保持された左、右端子９ａ、９ｂ（図５（ａ）はその１つの端子９ｂのみ示す）を、矢印Ａのように１８０°反転させ（起こし）て複数の横電線８ａを折り曲げ、図５（ｂ）に示すように上方に向くように起立した状態で配置し、図２に示すように、端子ユニットをロック部材１０で係止、固定する。この結果、この端子９ｂ（端子９ａも同じ）が、上記のように前後方向の縦電線８ｂのうち外側に位置する縦電線８ｂの上に配置された配線板２が形成される。
【００３８】
配線板２を収容するケース１は、図１に示すように、左、右コネクタ装着部４、５の端面が前コネクタ装着部６の端部の側面に対向する構造となり、全体として小型化される。したがって、本実施形態１の電気接続箱２０も小型となり、例えばこの電気接続箱２０が配置される自動車内の空間占有率を小さくして省スペース化を図ることができる。
【００３９】
なお、図６は、本実施形態１の変形例であり、左、右端子９ａ、９ｂを上記した端子保持部材１１に組み込まず、個々の左、右端子９ａ、９ｂをそれぞれ絶縁基板７上に起立するように操作し、絶縁基板７上の図示しない固定部に固定するようにしたものである。
【００４０】
（実施形態２）
図７は、本発明の電気接続箱の電線配索方法の実施形態２を示す説明図である。
【００４１】
本実施形態２では、横電線８ａの両端部が絶縁基板７の左右縁部から外側に位置するように配置して、その端部に左、右端子９ａ、９ｂを接続している。このとき、左、右端子９ａ、９ｂは、上側を向くようになっている。このため、端子の取り付け作業性を向上することが可能である。なお、左、右端子（図は左端子のみ示す）９ａ、９ｂの電線端末への取り付けは、上記のように横電線８ａを配索した後でもよいし、配索する前でもよい。
【００４２】
次に、図７に示すように、端子近傍の横電線８ａを交互に２回折り曲げて左、右端子９ａ、９ｂが起立した（端子結合部が上を向いた）状態にする。そして、それぞれの左、右端子９ａ、９ｂを絶縁基板７に図示しない固定部で固定する。
【００４３】
このような実施形態２における他の構成、工程は、上記した実施形態１と同様であるため、説明を省略する。本実施形態２では、左、右端子９ａ、９ｂを、上を向いた状態で横電線８ａに接続し、絶縁基板７上に配置したときも上向きとなっている。このため、本実施形態２では、左、右端子９ａ、９ｂの取り付け作業性、取扱い性がよくなる。
【００４４】
（実施形態３）
図８及び図９は、本発明に係る電気接続箱の電線配索方法の実施形態３を示す斜視図である。なお、本実施形態３において、上記した実施形態１と同一部分には同一の符号を付して詳細な説明を省略する。
【００４５】
本実施形態３は、図８に示すように、複数の横電線８ａの群を２つに分けて、それぞれの群の横電線の両端に左、右端子９ａ、９ｂを接続している。そして、それぞれの横電線８ａの群に属する左端子９ａの群及び右端子９ｂの群を上記した実施形態１と同様に端子保持部材１１で一体に保持している。なお、本実施形態３では、横電線８ａの長さが上記実施形態１の横電線８ａの長さより短く設定されている。すなわち、これら横電線８ａは、絶縁基板７の左右（横）方向の長さより短く設定されている。そして、これら横電線８ａの両端に図８に示すように端子保持部材１１に保持された左、右端子９ａ、９ｂを接続し、図９に示すように、横電線８ａを配索したときに、端子保持部材１１に保持された左、右端子９ａ、９ｂが、前端子９ｃに接続されて前後（縦）方向に配索される縦電線８ｂの群のうち外側に位置する縦電線８ｂの上に載置されるようになっている。
【００４６】
本実施形態３においても、左、右端子９ａ、９ｂは、縦電線８ｂの配索には干渉することがない。また、縦電線８ｂは、絶縁基板７の左右の縁部まで配索することができる。さらに、左、右端子９ａ、９ｂのみを載置する場所を絶縁基板７上に要しないため、絶縁基板７を小型化できる。したがって、配線板２が小型化され、これに伴ってケース１も小型になる。よって、電気接続箱２０の省スペース化を図ることができる。
【００４７】
以上のように、各実施形態では、特別な部材を用いることなく、電線の配索構造と電線に接続される端子の配置位置を変えることで、電気接続箱の小型化を実現できる。したがって、電気接続箱を簡単且つ安価に製造することが可能となる。
【００４８】
以上、各実施形態について説明したが、本発明は以上に説明した実施形態に限定されるものではなく、構成の要旨に付随する各種の設計変更が可能である。特に、コネクタ装着部の構造やその配置形態についても上記した実施形態のものに限定されるものではない。また、ロック部材１１の構造等についても各種の設計変更が可能である。なお、端子の構造についても雄型、雌型など形態に限定されるものではない。
【００４９】
また、上記した各実施形態では、左右端子９ａ、９ｂを絶縁基板７の表面側に配置したが、裏面側に配置、固定するようにしてもよい。その場合、ケース本体３の後側にコネクタ装着部を備えた構成としても勿論よい。
【００５０】
さらに、上記した各実施形態では、前後方向（縦方向）の電線８ｂを先に配索したが、左右方向（横方向）の電線８ａを先に配索してもよい。
【００５１】
また、各実施形態では、縦横方向を図に定義して説明したが、電気接続箱の縦横方向は適宜変更可能である。
【００５２】
【発明の効果】
以上の説明で明らかなように、請求項１記載の発明によれば、電気接続箱の小型化が実現でき、省スペース化を図ることができる。また、小型化に伴い、電気接続箱を軽量且つ低コストにする効果がある。
【００５３】
請求項２記載の発明によれば、請求項１に記載された発明の効果に加えて、組み付け過程において電線の端末を絶縁基板の外側に位置させた状態で端子を取り付けることができる。このため、端子の取付性を容易にすることができる。
【００５４】
電線に端子を接続（圧着）させるときに、作業性の良好な向きで端子を取り付けることができる。
【００５５】
請求項３記載の発明によれば、請求項２に記載された発明の作用に加えて、例えば一方の端子が上側を向くようにして電線を一回折り曲げると、端子は下側を向いてしまうが、複数回、特に偶数回折り曲げを行えば端子は上向きになる。このため、電線に端子を接続（圧着）させるときに、作業性の良好な向きで端子を取り付けることができる。
【００５６】
請求項４記載の発明によれば、請求項１〜請求項３に記載された発明の効果に加えて、複数の端子をユニット化することにより、端子の取扱い性を容易にできる。また、複数の端子が一体的に保持されるため、端子のぐらつきを防止して、信頼性の高い電気接続箱を実現することができる。
【００５７】
請求項５記載の発明によれば、端子ユニットが絶縁基板に設けられた固定部に固定されるため、端子を絶縁基板上に簡単に保持させることができる。このため、組み付け作業性を向上させる効果がある。
【００５８】
請求項６記載の発明によれば、配線板に一方の端子のみを載置するための領域を形成する必要がなくなり、配線板を小型化することができる。これに伴って、配線板を収容するケースも小型化することができる。また、この発明では、電気接続箱の省スペース化を図ることができる。さらに、縦電線と横電線との配索に縦電線用端子及び横電線用端子が干渉することがない。
【００５９】
請求項７記載の発明によれば、請求項６に記載された発明の効果に加えて、一方の端子に接続される電線が、他方の端子の干渉を受けることなく配索することができるという利点がある。また、他方の端子が接続される電線の端末を、絶縁基板の外側に位置するように配索したことにより、他方の端子と電線端末との接続作業性を向上する効果がある。
【００６０】
請求項８記載の発明によれば、請求項６に記載された発明の効果に加えて、他方の端子を電線に接続する場合の向きを任意にすることができる。このため、端子の接続作業性を向上することができる。
【００６１】
請求項９記載の発明によれば、請求項６〜請求項８に記載された発明の効果に加えて、他方の端子を端子ユニットに組み込むことで、電線の折り曲げ作業や絶縁基板への取り付け作業並びに端子の取り扱い性を向上する効果がある。
【図面の簡単な説明】
【図１】本発明に係る電気接続箱の実施形態１を示す斜視図である。
【図２】実施形態１のケース内に挿入される配線板を示す斜視図である。
【図３】実施形態１の配線板の電線の配索例を示す平面図である。
【図４】実施形態１の配線板の組み付け初期状態における形態を示す斜視図である。
【図５】（ａ）は実施形態１における端子の組み付け初期の状態を示す側面説明図、（ｂ）は組み付け完了時における端子配置状態を示す側面説明図である。
【図６】実施形態１の電線配索方法の変形例を示す説明図である。
【図７】本発明に係る電線配索方法の実施形態２を示す説明図である。
【図８】本発明に係る電線配索方法の実施形態３を示す斜視図である。
【図９】実施形態３の電線配索方法を示す斜視図である。
【図１０】従来の電気接続箱におけるケースの外観構造を示す斜視図である。
【図１１】従来の配線板の構造を示す斜視図である。
【図１２】従来の配線板の電線の配索例を示す平面図である。
【符号の説明】
１    ケース
２    配線板
３    ケース本体
４    左コネクタ装着部（横電線用コネクタ装着部）
５    右コネクタ装着部（横電線用コネクタ装着部）
６    前コネクタ装着部（縦電線用コネクタ装着部）
７    絶縁基板
８    電線
８ａ  横電線
８ｂ  縦電線
９    端子
９ａ  左端子
９ｂ  右端子
９ｃ  前端子
１０  ロック部材（固定部）
１１  端子保持部材
【図１】
0003829070.tif 000002
【図２】
0003829070.tif 000003
【図３】
0003829070.tif 000004
【図４】
0003829070.tif 000005
【図５】
0003829070.tif 000006
【図６】
0003829070.tif 000007
【図７】
0003829070.tif 000008
【図８】
0003829070.tif 000009
【図９】
0003829070.tif 000010
【図１０】
0003829070.tif 000011
【図１１】
0003829070.tif 000012
【図１２】
0003829070.tif 000013